(57)【要約】【課題】  本発明は魚釣用リールに係り、バックラッシュ発生時の釣糸巻回層内部への釣糸食い込みによる釣糸案内体の糸傷発生を防止し、併せて釣糸の切断防止を図った魚釣用リールを提供することを目的とする。【解決手段】  請求項１に係る発明は、スプール前方の側板間に、ハンドルの巻取り操作に連動して釣糸案内体を左右に往復動させてスプールに釣糸を均一に巻回させるレベルワインド機構を備えた魚釣用リールに於て、前記スプールと対向する側の釣糸案内体に、バックラッシュ発生時の釣糸巻回層内部への釣糸食い込みによる糸傷発生を防止する保護部材を一体的に設けたことを特徴とする。  そして、請求項２に係る発明は、請求項１に記載の魚釣用リールに於て、前記保護部材は、前記釣糸案内体に備えたラインガイドに一体形成されていることを特徴とする。【選択図】    図２
2009195112.tif 000002
【特許請求の範囲】
【請求項１】
スプール前方の側板間に、ハンドルの巻取り操作に連動して釣糸案内体を左右に往復動させてスプールに釣糸を均一に巻回させるレベルワインド機構を備えた魚釣用リールに於て、前記スプールと対向する側の釣糸案内体に、バックラッシュ発生時の釣糸巻回層内部への釣糸食い込みによる糸傷発生を防止する保護部材を一体的に設けたことを特徴とする魚釣用リール。
【請求項２】
前記保護部材は、前記釣糸案内体に備えたラインガイドに一体形成されていることを特徴とする請求項１に記載の魚釣用リール。
【発明の詳細な説明】
【技術分野】
【０００１】
本発明は魚釣用リールに係り、詳しくはスプールに釣糸を均一に巻回させるレベルワインド機構を備えた魚釣用リールに関する。
【背景技術】
【０００２】
従来周知のように、ベイトキャスティングリールやスプール駆動モータを備えた電動リール等には、スプールに釣糸を均一に巻回させるレベルワインド機構がスプール前方の側板間に装着されており、レベルワインド機構の釣糸案内体（摺動体）は、ハンドルやスプール駆動モータによる巻き取り操作に連動して、スプール前方の側板間を左右に往復動するように構成されている。
【０００３】
ところで、リール本体の側板に回転自在に支持されたスプールは、クラッチ機構によりクラッチＯＮ（動力伝達状態）とクラッチＯＦＦ（動力遮断状態）とに切換え可能に構成され、釣糸の繰出し時にクラッチＯＦＦに切り換えられて仕掛けを所定のポイントに放出するが、この釣糸の繰出し時に、船の振れや風の影響等で釣糸の繰出し速度よりもスプールの回転が一時的に早くなってスプールが過回転し、所謂バックラッシュ現象が発生することがある。
【０００４】
而して、斯様にバックラッシュ現象が発生すると、スプール外周に糸のループができ、これがレベルワインド機構の突出部である釣糸案内体のナットに絡んで、エサのバラシや釣糸の切断等のトラブルが発生してしまう虞があった。
【０００５】
前記ナットは、トラバースカム軸のカム溝に係合する係合子を釣糸案内体に抜け止め保持するもので、通常、釣糸案内体の下部に螺着されている。
【０００６】
そこで、図８及び図９に示すように特許文献１には、バックラッシュ発生時に釣糸案内体１のナット３への釣糸５の糸絡みを防止するため、一体に折曲形成した保護部材７を、左右の側板９間の釣糸案内体１の前部から下部に設けると共に、該保護部材７の下側をナット３の中心よりスプール１１側に延設した魚釣用リール１３が開示されている。
【特許文献１】実開平２−１１６９６３号公報
【発明の開示】
【発明が解決しようとする課題】
【０００７】
しかし、バックラッシュ現象による不具合は前記ナット３への糸絡みに止まらず、例えばスプール１１に巻回された釣糸５の巻回層１５の膨出により、釣糸５が巻回層１５の内部に食い込んで繰出しが中断してしまうことがある。すると、釣糸案内体１に備えたラインガイドの釣糸案内孔１７を通して放出されて、仕掛けの重量で強い張力のかかった釣糸５がスプール１１に対向する側の釣糸案内体１の外周面１９に瞬間的に強く接触して、該外周面１９に糸傷を付けてしまう欠点があった。
【０００８】
そして、斯様に釣糸案内体１の外周面１９に糸傷が付いてしまうと、この糸傷により釣糸１５が傷付いて切れてしまう虞もあった。
【０００９】
本発明は斯かる実情に鑑み案出されたもので、バックラッシュ発生時の釣糸巻回層内部への釣糸食い込みによる釣糸案内体の糸傷発生を防止し、併せて釣糸の切断防止を図った魚釣用リールを提供することを目的とする。
【課題を解決するための手段】
【００１０】
斯かる目的を達成するため、請求項１に係る発明は、スプール前方の側板間に、ハンドルの巻取り操作に連動して釣糸案内体を左右に往復動させてスプールに釣糸を均一に巻回させるレベルワインド機構を備えた魚釣用リールに於て、前記スプールと対向する側の釣糸案内体に、バックラッシュ発生時の釣糸巻回層内部への釣糸食い込みによる糸傷発生を防止する保護部材を一体的に設けたことを特徴とする。
【００１１】
そして、請求項２に係る発明は、請求項１に記載の魚釣用リールに於て、前記保護部材は、前記釣糸案内体に備えたラインガイドに一体形成されていることを特徴とする。
【発明の効果】
【００１２】
請求項１に係る発明によれば、バックラッシュ現象の発生で釣糸が巻回層内部に食い込んで繰出しが中断し、強い張力のかかった釣糸がスプールに対向する側の釣糸案内体の外周面に接触しようとしても、前記保護部材が外周面を被覆して保護するため、釣糸案内体の糸傷の発生及びこれに起因する釣糸の切断を防止することが可能となった。
【００１３】
そして、請求項２に係る発明によれば、保護部材がラインガイドに一体形成された構造上、釣糸案内体へのラインガイドの取り付けによって保護部材が外周面に取り付くため、保護部材の取付作業性に優れた利点を有する。
【発明を実施するための最良の形態】
【００１４】
以下、本発明の実施形態を図面に基づいて詳細に説明する。
【００１５】
図１及び図２は請求項１及び請求項２に係る魚釣用リールの一実施形態を示し、図中、２１，２３はフレーム２５の左右の側枠２７，２９に取り付く外側板で、図２に示すように側枠２７，２９間の上部に平坦なプレート状のサムレスト３１が架設されると共に、側枠２７，２９間の下部の前後にリール脚３３，３５が架設されており、側枠２７，２９とサムレスト３１とリール脚３３，３５とで前記フレーム２５が構成されている。そして、前記側枠２７，２９と前記外側板２１，２３とで側板３７，３９が構成され、前記フレーム２５と側板３７，３９によって魚釣用リール４１のリール本体４３が構成されており、前記リール脚３３，３５の裏面側に、竿取付部４５，４７がリール本体４３の前後方向へ分割して形成されている。
【００１６】
そして、前記側板３７，３９間に、側枠２７に装着した軸受４９によってスプール軸５１が回転可能に支持され、該スプール軸５１にスプール５３が一体的に取り付けられている。そして、スプール軸５１の側板３９側端部に図示しないピンからなるクラッチ部が設けられており、該クラッチ部に係脱可能なピニオンギヤ５５が、側枠２９と外側板２３に装着した軸受５７，５９によって、スプール軸５１と同軸上に配した押圧軸（図示せず）に回転可能且つその軸方向へ往復動可能に取り付けられている。
【００１７】
また、スプール５３後方の側板３７，３９間には、スプール５３をクラッチＯＮ（動力伝達状態）とクラッチＯＦＦ（動力遮断状態）とに切り換えるクラッチ機構６１のクラッチレバー６３が下方へ押圧操作可能に装着されており、該クラッチレバー６３を下方へ押圧操作すると、ピニオンギヤ５５の外周に設けた環状溝６５に係合するクラッチプレート６７が、前記クラッチ部に対するピニオンギヤ５５のクラッチ結合を解除してスプール５３をクラッチＯＦＦに切り換え、そして、後述するハンドル６９の巻取り操作で、スプール５３が周知の復帰機構（図示せず）によってクラッチＯＮに自動復帰するようになっている。
【００１８】
そして、図１及び図２に示すように前記側枠２９と外側板２３に設けた支持部７１との間に、ハンドル６９が取り付くハンドル軸７３が図示しない軸受を介して回転可能に支持されており、該ハンドル軸７３に、前記ピニオンギヤ５５に噛合するドライブギヤ７５がドラグ（図示せず）によって回転可能に摩擦結合されている。
【００１９】
このようにハンドル軸７３とドライブギヤ７５はドラグによって摩擦結合されており、ハンドル６９の巻き取り操作によって、その回転力がドラグを介してドライブギヤ７５，ピニオンギヤ５５からスプール軸５１へと伝達されてスプール５３が回転し、クラッチレバー６３によるクラッチＯＦＦの操作で、スプール軸５１へのハンドル６９の回転力が遮断されるようになっている。
【００２０】
そして、図１及び図２に示すように、スプール５３の巻回胴部５３ａに巻回された釣糸７７が繰り出される前方側の側板３７，３９（側枠２７，２９）間に、ハンドル６９の巻き取り操作に連動して左右に往復動する釣糸案内体７９を備えたレベルワインド機構８１が装着されている。
【００２１】
図２に於て、８３はスプール５３前方の側板３７，３９間に装着されたレベルワインド機構８１のトラバースカム軸で、該トラバースカム軸８３は前記スプール軸５１に沿って側枠２７，２９間に架設され、その外周面にカム溝８５が設けられている。そして、トラバースカム軸８３と中心軸を同じくしてこれを覆う案内筒８７が側枠２７，２９間に架設されており、該案内筒８７に釣糸案内体７９がスプール５３の軸方向へ往復動可能に取り付けられている。
【００２２】
釣糸案内体７９は樹脂で形成され、その下部に、前記案内筒８７にその長手方向に沿って形成した長孔８９を挿通して前記カム溝８５に係合する係合子９１が取り付き、上部に、竿先側からの釣糸７７をスプール５３に案内する長孔形状のラインガイド９３が上下方向に取り付けられている。そして、図２に示すように、前記係合子９１を釣糸案内体７９に抜け止め保持するナット９５が釣糸繰出し側（魚釣用リール４１の前方側）に向けて配設されて、魚釣用リール４１の全高の小型化が図られている。
【００２３】
そして、従来と同様、ハンドル６９の巻取り操作に伴い、ドライブギヤ７５に噛合する連結ギヤ（図示せず）に結合されたトラバースカム軸８３が回転して釣糸案内体７９がスプール５３の軸方向へ往復動することにより、前記ラインガイド９３の釣糸案内孔９６を介して釣糸７７がスプール５３の釣糸巻回胴部５３ａに均一に巻回され、また、キャスティング動作に伴い、釣糸巻回胴部５３ａに巻回された釣糸７７が、前記釣糸案内孔９６を介して均一に繰り出されるようになっている。
【００２４】
尚、図中、９７は釣糸案内体７９を挿通する断面円形状の案内ピラーで、該案内ピラー９７はスプール軸５１に沿って側枠２７，２９間に架設されている。
【００２５】
そして、図１及び図２に示すように本実施形態は、上述した構成に加え、前記スプール５３と対向する側の釣糸案内体７９の外周面９９を、バックラッシュ発生時の釣糸巻回層内部への釣糸食い込み（図２中、Ａ）による該外周面９９への糸傷発生を防止する保護部材１０１で被覆すると共に、前記サムレスト３１の後端の裏面側近傍に、バックラッシュ発生時に於ける釣糸７７のリール本体４３上方への膨出を抑制する断面円形状の膨出抑制ピラー（膨出抑制部材）１０３を側枠２７，２９間に架設したもので、前記保護部材１０１は釣糸案内体７９に備えたラインガイド９３に一体形成されている。
【００２６】
即ち、従来と同様、硬質材で形成される前記ラインガイド９３は、セラミックや表面が硬質のメッキ処理が施された金属材料等で形成されているが、図２に示すようにラインガイド９３のスプール側下部に、前記外周面９９の形状に沿って湾曲したプレート状の保護部材１０１が一体に形成されており、図１に示すように該保護部材１０１は外周面９９の幅と同一またはやや幅狭に形成されて、スプール５３に対向する側の該外周面９９を被覆している。そして、斯様に保護部材１０１をラインガイド９３に一体形成した構造上、ラインガイド９３は外周面９９側から釣糸案内体７９のラインガイド取付孔１０５に装着されるが、前記保護部材１０１が外周面９９に当接して、釣糸案内体７９に対するラインガイド９３の位置決めがなされている。また、前記膨出抑制ピラー１０３も金属材料で形成されて、表面が硬質のメッキ処理が施されている。
【００２７】
本実施形態はこのように構成されているから、クラッチＯＮ状態でクラッチレバー６３を下方へ押圧操作すると、ピニオンギヤ５５の環状溝６５に係合するクラッチプレート６７が、クラッチ部に対するピニオンギヤ５５のクラッチ結合を解除してスプール５３をクラッチＯＦＦに切り換え、斯かるクラッチＯＦＦ状態でハンドル６９を巻取り方向へ回転させると、スプール５３が公知の図示しない復帰機構によってクラッチＯＮに自動復帰する。
【００２８】
そして、スプール５３のクラッチＯＦＦ状態で仕掛けをキャスティングすると、スプール５３の釣糸巻回胴部５３ａに巻回された釣糸７７が、ラインガイド９３の釣糸案内孔９６を介してスプール５３から均一に繰り出され、釣糸７７の所定量の繰出し後、ハンドル６９の操作でクラッチＯＮに切り換えてハンドル６９を巻き取り操作すると、ハンドル６９の回転力がドラグを介してドライブギヤ７５，ピニオンギヤ５５からスプール軸５１に伝達されてスプール５３が回転する。そして、ハンドル６９の巻取り操作に伴い、トラバースカム軸８３が回転して釣糸案内体７９がスプール５３の軸方向へ往復動し、前記釣糸案内孔９６を介して釣糸７７が釣糸巻回胴部５３ａに均一に巻回されることとなる。
【００２９】
而して、既述したようにこの種の魚釣用リールは、釣糸の繰出し時に、船の振れや風の影響等で釣糸７７の繰出し速度よりもスプール５３の回転が一時的に早くなってスプール５３が過回転し、所謂バックラッシュ現象が発生することがある。
【００３０】
しかし、斯様にバックラッシュ現象が発生してスプール５３の外周に糸のループができても、図２の如く係合子９１を釣糸案内体７９に抜け止め保持するナット９５が釣糸繰出し側に向けて配設されているため、釣糸７７がナット９５に絡むことがない。
【００３１】
また、バックラッシュ現象が発生すると、従来、スプールに巻回された釣糸の巻回層の膨出によって釣糸が巻回層内部に食い込んで繰出しが中断し、ラインガイドを通して放出されている強い張力のかかった釣糸がスプール側の釣糸案内体の外周面に瞬間的に強く接触して糸傷を付けてしまう虞があったが、本実施形態は、スプール５３と対向する側の釣糸案内体７９の外周面９９を、ラインガイド９３に一体形成した硬質な保護部材１０１で被覆し保護したので、上述の如く強い張力のかかった釣糸７７が釣糸案内体７９より硬質材で形成される保護部材１０１に接触し、外周面９９への釣糸７７の接触が防止される。
【００３２】
そして、前記膨出抑制ピラー１０３が、釣糸７７の巻回層のリール本体４３上方への膨出を抑制することとなる。
【００３３】
このように本実施形態は、
(1)バックラッシュ現象が発生してスプール５３の外周に糸のループができても、釣糸７７が釣糸案内体７９のナット９５に絡むことがなく、
(2)膨出抑制ピラー１０３によって釣糸７７の巻回層のリール本体４３上方への膨出を抑制することができ、
(3)また、バックラッシュ現象の発生で釣糸７７が巻回層内部に食い込んで繰出しが中断し、強い張力のかかった釣糸７７が釣糸案内体７９のスプール５３と対向する側の外周面９９に接触しようとしても、前記保護部材１０１が外周面９９を被覆して該外周面１０１を保護するため、
釣糸案内体７９の外周面９９の糸傷の発生及びこれに起因する釣糸７７の切断，リール本体４３上方への釣糸７７の膨出を確実に防止することが可能となった。
【００３４】
また、本実施形態は、係合子９１を釣糸案内体７９に抜け止め保持するナット９５を釣糸繰出し側に向けて配設しているので、ナット９５への糸絡みの防止と共に、魚釣用リール４１の全高の小型化が可能となって魚釣り操作性が良好となる利点を有する。
【００３５】
また、保護部材１０１がラインガイド９３に一体形成された構造上、釣糸案内体７９へのラインガイド９３の取り付けによって保護部材１０１が外周面９９に取り付くため、保護部材１０１の取付作業性に優れた利点を有する。
【００３６】
尚、前記実施形態は、保護部材１０１をラインガイド９３に一体形成したが、図３乃至図５に示す請求項１の第一実施形態の如く、ラインガイド９３-1と別体に保護部材１０７を形成して、これをスプール５３と対向する側の釣糸案内体７９の外周面９９に装着してもよい。
【００３７】
而して、前記保護部材１０７は、一例としてセラミックや硬質の金属材料等を用いて、前記外周面９９に沿って上下方向に形成された凹部１０９内に係合する湾曲したプレート形状に形成され、その表面は外周面９９から外方へやや突出した構造となっている。尚、その他の構成は図１及び図２の実施形態と同様であるので、同一のものには同一符号を付してそれらの説明は省略する。
【００３８】
本実施形態に係る魚釣用リール４１-1はこのように構成されているから、バックラッシュ現象の発生で、ラインガイド９３-1を通して放出されている強い張力のかかった釣糸７７がスプール５３側の釣糸案内体７９の外周面９９に瞬間的に強く接触しようとしても、張力のかかった釣糸７７は保護部材１０７に接触し、外周面９９への釣糸７７の接触が防止される。
【００３９】
従って、本実施形態によっても、前記実施形態と同様、所期の目的を達成することが可能で、釣糸案内体７９の外周面９９の糸傷の発生及びこれに起因する釣糸７７の切断を確実に防止することが可能となった。
【００４０】
図６及び図７は請求項１の第二実施形態を示し、本実施形態は、スプール５３に対向する側の釣糸案内体７９の外周面９９全体に凹部１１１を形成して、該凹部１１１に薄肉なプレート状の保護部材１１３を釣糸案内体７９と面一に装着，被覆したもので、保護部材１１３はセラミックや硬質の金属材料等を用いて横断面図略コ字状に形成されている。
【００４１】
尚、本実施形態に於ても、その他の構成は図３の実施形態と同様であるので、同一のものには同一符号を付してそれらの説明は省略する。
【００４２】
本実施形態はこのように構成されているから、バックラッシュ現象の発生で、ラインガイド９３-1を通して放出されている強い張力のかかった釣糸７７が釣糸案内体７９の外周面９９に瞬間的に強く接触しようとしても、張力のかかった釣糸７７は保護部材１１３に接触し、外周面９９への釣糸７７の接触が防止されることとなる。
【００４３】
従って、本実施形態によっても、釣糸案内体７９の外周面９９の糸傷の発生及びこれに起因する釣糸７７の切断を確実に防止することが可能となる。
【図面の簡単な説明】
【００４４】
【図１】請求項１及び請求項２の一実施形態に係る魚釣用リールの一部切欠き平面図である。
【図２】図１に示す魚釣用リールの断面図である。
【図３】請求項１の第一実施形態に係る魚釣用リールの断面図である。
【図４】釣糸案内体とラインガイドの拡大平面図である。
【図５】図４のＡ−Ａ線断面図である。
【図６】請求項１の第二実施形態に係る魚釣用リールの釣糸案内体とラインガイドの拡大平面図である。
【図７】図６のＢ−Ｂ線断面図である。
【図８】従来の魚釣用リールの断面図である。
【図９】保護部材の要部底面図である。
【符号の説明】
【００４５】
２１，２３  外側板
２５  フレーム
２７，２９  側枠
３１  サムレスト
３３，３５  リール脚
３７，３９  側板
４１，４１-1  魚釣用リール
４３  リール本体
５１  スプール軸
５３  スプール
５５  ピニオンギヤ
６１  クラッチ機構
６３  クラッチレバー
６９  ハンドル
７３  ハンドル軸
７５  ドライブギヤ
７７  釣糸
７９  釣糸案内体
８１  レベルワインド機構
８３  トラバースカム軸
８５  カム溝
８７  案内筒
８９  長孔
９１  係合子
９３，９３-1  ラインガイド
９５  ナット
９６  釣糸案内孔
９７  案内ピラー
９９  外周面
１０１，１０７，１１３  保護部材
１０３  膨出抑制ピラー
１０５  釣糸案内孔
１０９，１１１  凹部
【図１】
2009195112.tif 000003
【図２】
2009195112.tif 000004
【図３】
2009195112.tif 000005
【図４】
2009195112.tif 000006
【図５】
2009195112.tif 000007
【図６】
2009195112.tif 000008
【図７】
2009195112.tif 000009
【図８】
2009195112.tif 000010
【図９】
2009195112.tif 000011